(57)【要約】平坦面あるいは互いに反対側の２つの面に広げることができるように、靴の甲革（１２）の半製品要素を用意し、その半製品要素の内側部の表面に防水性・透湿性薄膜（１３）を配置し、組付体の透湿性を妨げないように、甲革（１２）の半製品要素と薄膜（１３）との間に接着手段を用意することからなる防水性・透湿性靴の製造方法。次いで、実質的に平坦であるが、甲革（１２）の半製品要素の外面を構成する縫い合わせ継目および重ね合わせ部の相異なる厚さに対してそれら自体を相補的に形成することのできる１以上の形材が用意され、薄膜（１３）が、甲革（１２）の半製品要素に、外面が形材の上に載るように配置された半製品要素の外側部で接合される。次いで、甲革（１２）に三次元構造を持たせ、それを中底（１４）に接合することで甲革（１２）が仕上げられ、最後に、底革（１６）が甲革（１２）および中底（１４）へ接合される。
2010523186.tif 000002
【特許請求の範囲】
【請求項１】
平坦な表面にあるいは互いに反対側にある２つの表面に広げて配置することができるような、靴のための甲革（１２）の半製品要素を用意し、
甲革（１２）の前記半製品要素の内側部に防水性・透湿性薄膜（１３）を配置し、
組付体の透湿性を妨げないように、甲革（１２）の前記半製品要素と前記薄膜（１３）との間に接着の手段を用意し、
実質的に平坦であるが、甲革（１２）の前記半製品要素の外面を構成する縫い合わせ継目および重ね合わせ部の相異なる厚さに対してそれら自体を相補的に適合することのできる１つ以上の形材を用意し、
前記外面が前記形材の上に載るように配置された前記半製品要素の外側部で、前記薄膜（１３）を甲革（１２）の前記半製品要素へ堅固に接合し、
前記甲革（１２）に適切な三次元構造を持たせて、それを中底（１４）に接合することで、前記甲革（１２）を仕上げ、さらに
底革（１６）を防水性甲革（１２）および中底（１４）へ接合すること
から構成される防水性・透湿性靴の製造方法。
【請求項２】
甲革の前記半製品要素は、完全に展開されていることを特徴とする請求項１に記載の方法。
【請求項３】
甲革（１２）を仕上げることは、欠けている接合部を設ける工程からなっていることを特徴とする請求項１に記載の方法。
【請求項４】
前記薄膜（１３）を甲革（１２）へ取り付けるために提供され、その薄膜は、合成材料から作られた１枚以上のメッシュおよび／または封止用材料が通過することのできる他の保護要素あるいは支持要素へ、その透湿性を損なうことなく接合されることを特徴とする請求項１に記載の方法。
【請求項５】
前記甲革（１２）を構成するとともにすでに防水性である要素が前記薄膜（１３）に置き換えられ、前記薄膜（１３）と前記防水性要素との間に防水性封止部が設けられることを特徴とする請求項１に記載の方法。
【請求項６】
前記防水性要素に対して実質的に約５．０〜１０．０ｍｍ沿っている前記薄膜の重ね合わせ部および封止部があること、または、防水性テープによって防水処理された縫い合わせ継目があることを特徴とする請求項５に記載の方法。
【請求項７】
防水性爪先革（２２）が靴の先端部で前記薄膜（１３）に置き換えられ、前記薄膜（１３）と前記防水性爪先革（２２）との間に防水性封止部が設けられることを特徴とする請求項１に記載の方法。
【請求項８】
前記防水性爪先革（２２）に対して、実質的に約５．０〜１０．０ｍｍにわたる前記薄膜（１３）の重ね合わせ部および封止部があること、または、防水性テープによって防水処理された縫い合わせ継目があることを特徴とする請求項７に記載の方法。
【請求項９】
防水性かかと革（２３）が靴のかかと部で前記薄膜（１３）に置き換えられ、前記薄膜（１３）と前記防水性かかと革（２３）との間に防水性封止部が設けられることを特徴とする請求項１に記載の方法。
【請求項１０】
前記防水性かかと革（２３）に対して、実質的に約５．０〜１０．０ｍｍにわたる前記薄膜（１３）の重ね合わせ部および封止部があること、または、防水性テープによって防水処理された縫い合わせ継目があることを特徴とする請求項９に記載の方法。
【請求項１１】
底革（１６）への前記甲革（１２）および前記薄膜（１３）のその後の組み付けのために、薄膜（１３）の下方縁辺（１７）が前記甲革の縁辺を越えて延びていることを特徴とする請求項１に記載の方法。
【請求項１２】
前記突出状縁辺（１７）は、甲革（１２）の前記下方縁部から実質的に１０〜１５ｍｍ突出するものであることを特徴とする請求項１１に記載の方法。
【請求項１３】
甲革（１２）と薄膜（１３）との間の組み付けのために、甲革（１２）に接している前記薄膜（１３）の表面に、その透湿性を損なうことがないように、熱接着性接着剤が塗布されることを特徴とする請求項１に記載の方法。
【請求項１４】
前記接着剤の塗布は、接着剤の粉末の塗布、あるいは、ホットメルト型の接着剤の、０．１〜２．０ｍｍの直径および５０〜６００スポット／ｃｍ2の密度があるスポットによる塗布であることを特徴とする請求項１３に記載の方法。
【請求項１５】
前記薄膜（１３）は、約６バールでの圧接によって甲革（１２）へ堅固に接合されるように、約１００〜１５０℃まで１０秒間、加熱されることを特徴とする請求項１に記載の方法。
【請求項１６】
前記接着は、前記組付体の透湿性を損なうことがないように、薄膜（１３）と甲革（１２）との間に取り付けられる有孔の熱接着性フィルム（織布）によって促進されることを特徴とする請求項１に記載の方法。
【請求項１７】
甲革（１２）は、それを平坦な表面（２０）の上に広げることができるように、ほとんど完全に組み付けられていることを特徴とする請求項１に記載の方法。
【請求項１８】
厚さの不規則性を排除するとともに甲革（１２）の内面が圧接の間に平坦であることを保証するために、前記平坦な表面（２０）は、ニトリルゴム、シリコーン、ポリクロロプレンあるいは微小孔性発泡ＥＶＡのような、（弾性）変形の後にその初めの形状を取り戻すことができる材料から作られていることを特徴とする請求項１７に記載の方法。
【請求項１９】
前記平坦な表面あるいは形材（２０）が温度および圧力に対する抵抗性のある剛性材料から作られているときには、甲革（１２）の内面、すなわち、前記薄膜の圧接面が平坦であるように、前記形材は、前記要素の重ね合わせ部に、厚さの差あるいは甲革（１２）の縫い合わせ継目に関して相補的である小さいくぼみ部（２０ｃ）を有していることを特徴とする請求項１７に記載の方法。
【請求項２０】
前方舌部の領域に、蛇腹状舌部を防水処理するとともに水が靴の中へ侵入するのを防止するために必要とされる蛇腹状舌部を設けるために、薄膜（１３）のインサート（１３ａ）があるときには、前記インサートは、重ね合わされ、かつ、熱融着処理により適用された封止用接着剤および／またはテープ（３０）によって封止されることを特徴とする請求項１に記載の方法。
【請求項２１】
折り返されて閉鎖される甲革（１２）と、この甲革（１２）の前記形材を実質的に複製するために形成されて縫い合わされる薄膜（１３）とを有していることを特徴とする請求項１に記載の方法。
【請求項２２】
前記組付体は、剛性材料から作られた芯と、互いに反対側にある２つの平坦な表面（２０ａ，２０ｂ）を形成している外面部とによって構成された平坦な表面あるいは形材の上に嵌合されることを特徴とする請求項２１に記載の方法。
【請求項２３】
前記平坦な表面（２０）は、例えば、ニトリルゴム、シリコーン、ポリクロロプレン（ネオプレン）あるいは微小孔性発泡ＥＶＡのような、（弾性）変形の後にその初めの形状を取り戻すことができる材料から作られていることを特徴とする請求項２２に記載の方法。
【請求項２４】
かかとの部分における甲革（１２）と薄膜（１３）との間の接着の達成は、加熱される半靴型と、重ね合わされた甲革（１２）および薄膜（１３）へ圧力を加えるエアークッションとを有する、一般に「かかと革予備成形機」として知られた靴製造機を使用することによって行われることを特徴とする請求項１〜２３のうちいずれか１つに記載の方法。
【請求項２５】
透湿性内側ライニング（２４）が薄膜（１３）の内面に接合されることを特徴とする請求項１〜２４のうちいずれか１つに記載の方法。
【請求項２６】
接合は接着によって行われることを特徴とする請求項２５に記載の方法。
【請求項２７】
靴の上方部（１１）がいったん閉鎖されると、前記底革（１６）は接着剤によってその上方部（１１）に接合されて、薄膜（１３）の下方フラップ（１７）と甲革（１２）の下方縁部（１８）との間に、底革（１６）とともに防水性封止部をもたらすための区域（２６）が設けられることを特徴とする請求項１〜２６のうちいずれか１つに記載の方法。
【請求項２８】
前記防水性封止用区域（２６）は、封止用リング（２７）を形成するために、実際にはこの区域が中底（１４）に達するまで、甲革（１２）の下方縁部（１８）の上に、また、薄膜（１３）の下方フラップ（１７）の表面に広げられる接着材料によって、構成することができることを特徴とする請求項１〜２７のうちいずれか１つに記載の方法。
【請求項２９】
前記封止用区域（２６）は、封止用テープで、または、縫い付けあるいは接着などにより前記甲革へ固定される要素によって得られた甲革の下方縁部の拡張部分（２８）で、設けられることを特徴とする請求項１〜２８のうちいずれか１つに記載の方法。
【請求項３０】
前記薄膜フラップの端部へ達するように充分に幅が広い前記拡張部分（２８）は、シリコーン接着剤あるいはポリウレタン接着剤のような封止用材料が通過することのできる、合成材料、網状布地、織り込み布地あるいは三次元状布地などから作られたヒートシール用のテープあるいはメッシュによるような封止が可能なものであるべきであり、また、薄膜（１３）は、相異なる材料どうしの接合箇所を防水処理するために、前記要素どうしの接合の後に設けるべきであることを特徴とする請求項１〜２９のうちいずれか１つに記載の方法。
【請求項３１】
伸縮自在であって合成材料から作られているのが好ましいヒートシール用防水性テープのような防水性補強要素が、薄膜（１３）の下方縁部の内面へ直接、貼り付けられることを特徴とする請求項１〜３０のうちいずれか１つに記載の方法。
【請求項３２】
前記底革（１６）は、前記上方部分（１１）の上へ直接、オーバーモールドされることを特徴とする請求項１に記載の方法。
【請求項３３】
前記薄膜の組み付け縁辺をさらに補強するために、伸縮自在であって合成材料から作られているのが好ましいヒートシール用防水性テープのような防水性補強要素（６５１）が、前記薄膜の下方縁部へ直接、貼り付けられることを特徴とする請求項１〜３２のうちいずれか１つに記載の方法。
【請求項３４】
前記防水性補強要素（６５１）は、薄膜と甲革との接合の後に薄膜の下方縁部へ直接、貼り付けられることを特徴とする請求項３３に記載の方法。
【請求項３５】
請求項１〜３４のうちいずれか１つに記載の方法で製造されていることを特徴とする防水性・透湿性の靴。
【請求項３６】
添付図面において説明されかつ図示されたことを特徴とする、請求項１〜３４のうちいずれか１つに記載の方法による防水性・透湿性の靴の製造方法およびその方法で設けられた靴。
【発明の詳細な説明】
【技術分野】
【０００１】
この発明は、防水性・透湿性の靴の製造方法に関するものである。この発明はまた、その方法で得られた靴に関するものでもある。
【背景技術】
【０００２】
靴の快適性が、それを履いたときの適正な解剖学的構造だけでなく、発汗のために靴の内側に生じた水蒸気の適正な外方透過にも関連している、ということは現在、よく知られている。
【０００３】
伝統的に、透湿性の靴は、皮革のような天然材料あるいは同等の生産品が使用されているが、雨天や悪天候では、それらの透湿特性のために、良好な防水性が保証されず、また実際に、組み付けのために使用された縫い合わせ継目からも染み込むことのある水をどちらかと言えば容易に吸収する。
【０００４】
こういう訳で、透湿性・防水性薄膜（例えば、ゴアテックス（Ｇｏｒｅ−Ｔｅｘ：登録商標）などのような材料から作られている）でライニングへ接合された甲革を有するいくつかの型の靴が、ここ２〜３年、広く市販されてきた。この型の靴は例えば、米国再発行特許第３４８９０号公報に開示されている。このような特許に開示された靴には、防水性・透湿性薄膜へ接合された布地によって構成された靴下状ライニングがあり、このライニングによって、水が靴の中へ染み込むことが防止されるだけでなく、足に外方透湿性が備わることも可能になる。
【発明の概要】
【発明が解決しようとする課題】
【０００５】
しかしながら、この靴には、水が甲革を通してまだ染み込むおそれがあるため、また、上記防水性ライニングと甲革の内面との間に水の保持が引き起こされるおそれがあるため、いくつかの短所がある。このことによって、この靴には、使用の後であっても、乾燥させるためにかなりの時間が必要になる。
【０００６】
さらにまた、このような停滞現象によって、湿気と冷感との不快感が引き起こされ、結果として靴の重さが増大し、そのため使用者の快適性が減少する。さらにまた、このような靴では、防水性・透湿性薄膜がその上へ接合される内側ライニングの使用が必然的に要求され、その結果、製造コストが増大する。
【０００７】
薄膜と、フェルト、布地あるいは皮革である支持体との間の接合は、靴および衣料品の分野では広く知られているが、巻かれた形態にあるかあるいは一片の形態にある単純な材料どうしの間では、縫い合わせ継目あるいは重ね合わせ部に実質的によることなく、常に接着が広く行われている。これらの方法の例は、ドイツ特許第２７３７７５６号公報および国際公開ＷＯ９０／９６９号パンフレットに認めることができる。
【０００８】
このように防水処理された材料は、靴の製造において有用なものにするために、その後に切断して縫わなければならず、また、次には、縫い合わせ継目を例えば適切なテーピング処理によって防水性にしなければならない。しかしながら、この方法には、仕上げられた製品を構成する相異なる材料の相異なる厚さのために、そのような縫い合わせ継目を防水性にするのが一般に困難である、という不都合がある。
【０００９】
さらにまた、靴の甲革を構成する相異なる構成要素の縫い合わせ継目および重ね合わせ部は、その製造における最も重要な箇所である。
【００１０】
靴を製造するための方法におけるこの作業を不要にするために、甲革と薄膜との間を容易に直接接着することのできる方法が過去において考案された。国際公開ＷＯ０２／１１５７１号パンフレットおよび国際公開ＷＯ２００４／１１２５２５号パンフレットには、すでに製造された甲革を防水処理するための方法および設備が実際に開示されている。
【００１１】
そのような方法によれば、靴の甲革を用意する最終段階で、その甲革を底革に接合する前に、その甲革を裏返すことと、堅いが甲革をぴんと張るように適合することのできる適切に設けられた靴型にその甲革を装着することとがもたらされる。上記特許によれば、接着剤で設けられてそれらの端部でヒートシールされた１枚あるいは２枚の防水性・透湿性薄膜が、例えば、加熱された付着泡圧接機（ａｉｒ  ｂｅｌｌ  ｐｒｅｓｓ）のような特定の設備を使用することで、甲革に施された適合可能な堅い靴型により構成されたこの三次元状組付体へ、その後、圧接される。最後に、甲革は、その適合可能な靴型から取り外されて、それを底革へ接着することができるように裏返しにされ、その後、上記組付体の中底に接合される。
【００１２】
しかしながら、上記製造方法にはいくつかの制約と短所とがある。
【００１３】
第１の制約は、特に弾性のある薄膜が必要であるということに関連しており、そのため、上記三次元状靴型への適合の間における破損という不利益によって、非伸張性の薄膜がすべて排除されることである。第２の制約は、甲革の縫い合わせ要素とインサートとの両方に近い領域、とりわけ底革が薄膜−甲革組付体へ接合される領域での靴の耐水性に関連している。この方法では、甲革を構成するインサートの上記縫い合わせ継目および上記重ね合わせ部に近い薄膜の完全な接着を保証することができない。第３の制約は、製造時間および製造設備の点で厄介であり、三次元状組付体を圧接する必要があるために複雑であるこの製造方法に関連している。
【課題を解決するための手段】
【００１４】
この発明の目標は、簡単かつ迅速であって、複雑でない設備を使用することのできる、防水性・透湿性靴の製造方法を提供することである。
【００１５】
この目標、およびこれ以降にいっそう明らかになる他の諸目的は、次の諸工程、すなわち、
平坦な表面に広げることができるように完全に展開されている、靴のための甲革の半製品要素を用意する工程、
上記甲革の内側部分の表面に防水性・透湿性薄膜を配置する工程、
組付体の透湿性を妨げないように、上記甲革と上記薄膜との間に接着の手段を用意する工程、
実質的に平坦であるが、上記甲革の外面を構成する縫い合わせ継目および重ね合わせ部の相異なる厚さに対してそれら自体を相補的に形成することのできる１つ以上の形材を用意する工程、
上記外面が上記形材の上に載るように配置された上記甲革の外側部分で、上記薄膜を上記甲革へ堅固に接合する工程、
欠けている接合部を設け、上記甲革に三次元構造を持たせて、それを中底に接合することで、上記甲革を仕上げる工程、および
底革を上記防水性甲革および上記中底へ接合する工程
から構成される防水性・透湿性靴の製造方法によって達成される。
【図面の簡単な説明】
【００１６】
この発明のさらに別の特徴および利点は、添付図面において非制限的実例のために示された、好ましいが限定的ではないその実施形態の記載からいっそう明らかになる。
【図１】図１は、防水性・透湿性である薄膜を、縫い合わされなかったかかと部で甲革の内面へ接合するための工程の模式的斜視図である。
【図２】図２は、それとともに接合された防水性・透湿性薄膜でかかと部へ縫い合わされた甲革の模式的斜視図であり、上記薄膜を上記甲革の上へ圧接するための形材に関する分解図で示されている。
【図３】図３は、それとともに接合された防水性・透湿性薄膜で縫い合わされ、上記薄膜を甲革の上へ圧接するための形材へ接合された甲革の模式的上面断面図である。
【図４ａ】図４ａは、この発明による、上記圧接用形材の上に配置された薄膜がある甲革の断面図である。
【図４ｂ】図４ｂは、この発明による、上記圧接用形材の上に配置された薄膜がある甲革の断面図である。
【図４ｃ】図４ｃは、この発明による、上記圧接用形材の上に配置された薄膜がある甲革の断面図である。
【図５】図５は、この発明による靴の一部分に係る第１実施形態の模式的縦断面図である。
【図６】図６は、この発明による靴の一部分に係る第２実施形態の模式的横断面図である。
【図７】図７は、この発明による靴の一部分に係る第３実施形態の模式的一部分解横断面図である。
【図８ａ】図８ａは、この発明による靴の一部分に係る第４実施形態の模式的横断面図である。
【図８ｂ】図８ｂは、その異なる実施形態の拡大図である。
【図９】図９は、この発明による靴の一部分に係る第５実施形態の模式的一部分解横断面図である。
【図１０】図１０は、この発明による靴の一部分に係る第６実施形態の模式的一部分解横断面図である。
【００１７】
この特許取得処理の間にすでに知られたと認められるあらゆるものは、特許請求されることがなく、また、特許放棄の対象でない、と理解されることに留意すべきである。
【発明を実施するための形態】
【００１８】
上記の図によれば、この発明による方法で製造された靴は、参照符号１０によって全体が表わされており、また、図５に認めることができる。
【００１９】
この靴１０には上方部１１が備わっており、この上方部１１は、透湿性のある甲革１２（あるいは、同等の意味で、例えば、メッシュ生地などによって構成された夏用靴のための甲革のような、小さい穴が設けられたもの）によって、甲革１２の内側部分に接合された防水性・透湿性である型の薄膜１３（例えば、商標名「Ｇｏｒｅ−Ｔｅｘ」（登録商標）（ゴアテックス）あるいは商標名「Ｓｙｍｐａｔｅｘ」（登録商標）（シンパテックス）によって一般に知られたようなもの）によって、さらに、甲革１２および薄膜１３により形成された組付体に接合された中底１４によって、構成されている。上方部１１の下方、すなわち中底１４の下側には、底革１６によって構成された下方部１５がある。
【００２０】
この靴１０の製造方法が以下に説明される。この発明によれば、少なくとも１枚の薄膜１３の甲革１２への取り付けが提供されるが、この薄膜１３は必要に応じて、合成材料から作られた１枚以上のメッシュへ、かつ／または、封止用材料の通過が可能である他の保護要素あるいは支持要素へ、その透湿性を損なうことなく接合される。この薄膜１３は、甲革１２の内面を完全に被覆することができる。
【００２１】
代案として、甲革１２を構成するとともにすでに防水性である要素では、薄膜１３の使用をなしですますことができる。従って、この場合には、好都合なことに薄膜のかなりの表面を省略することができる。
【００２２】
重要であるのは、薄膜１３と上記防水性材料との間に、上記防水性材料に対して実質的に約５．０〜１０．０ｍｍ沿っている、例えば上記薄膜の重ね合わせ部および封止部からなるような防水性封止部が存在していること、あるいは、防水性テープによって防水処理された縫い合わせ継目が存在していることである。
【００２３】
その後における上方部１１の底革１６への組み付けのために、薄膜１３の下方縁辺あるいはフラップ１７は、それが甲革１２の下方縁部１８から例えば１０〜１５ｍｍだけ突出する（図５を参照）ように、残されているのが好ましい。
【００２４】
甲革１２と薄膜１３との相互組み付けのために、例えば、甲革１２に接している薄膜１３の表面に、その透湿性を損なうことがないように、ある量の熱接着性接着剤を塗布することができる。この塗布は、例えばポリウレタン（ＰＵ）型の接着剤の塗布、あるいは、０．１〜２．０ｍｍの直径および５０〜６００スポット／ｃｍ2の密度がある、ホットメルト型の接着剤のスポットによる塗布であるのが好ましい。薄膜１３を約６バール（ｂａｒ）で圧接しながら、約１００〜１５０℃まで１０秒間、加熱することによって、甲革１２との完全な接着が達成される。
【００２５】
接着は、薄膜１３と甲革１２との間にこの組付体の透湿性を損なうことなく取り付けられる有孔の熱接着性フィルム（皮膜）によってもまた、促進することができる。
【００２６】
二次元状のものとして規定することのできるある実施形態によれば、甲革１２は、ほとんど完全に組み付けられているが、例えばかかと領域では縫い合わされていないので、その甲革１２は、図１に示されかつ参照符号２０によって表わされた平坦な表面（例えば参照符号Ｓ１によって表わされた平坦な形材）の上に広げることができる。
【００２７】
甲革１２を広げる仕方、すなわち、その甲革１２が縫い合わされていない領域、例えばかかと部あるいは爪先部またはこれらの両方において甲革１２を広げる仕方は、重要ではない。
【００２８】
この組付体の接合は、薄膜１３（もちろん、介在された熱接着性接着剤とともに）を甲革１２の上へ、例えば、加熱手段が設けられた平坦なあるいは円筒状の簡略圧接機によって、あるいは熱風クッションによって加熱圧接することで行われ、代わりの方法として、真空中で薄膜１３を甲革１２へ接合することもできる。加熱圧接によって、接着剤の溶融と甲革１２への薄膜１３の接合とが可能になる。
【００２９】
薄膜１３が置かれる上記表面は、甲革１２の構成が平坦であって閉鎖されていない場合には、圧接を促進するために、わずかに湾曲され、凹状にされ、あるいは凸状にされてもよい。
【００３０】
一般に、甲革１２は、いくつかの要素、インサート、金属製アクセサリおよび特定の固締具の重ね縫いによって製造されるので、厚さの不規則性を排除するとともに甲革１２の  内面が圧接の間に平坦であることを保証するために、平坦面２０は、ニトリルゴム、シリコーン、ポリクロロプレンあるいは微小孔性発泡ＥＶＡのような、（弾性）変形の後にその初めの形状を取り戻すことができるとともに温度耐性のある材料から作らなければならない。この改良点は薄膜１３の接着のために本質的なものである。
【００３１】
甲革１２の上への薄膜１３の平坦な圧接を、それゆえ重要な箇所の完全な接着を可能にし、それによって、接合されていない例えば泡の状態にある水の染み込みを防止するために、上記甲革の重ね合わされたフラップがあるインサート１２ａあるいは縫い合わせ領域１２ｂ（図４ａおよび図４ｂを参照）は、平坦面２０によって「吸収される」ことが重要である。
【００３２】
平坦面２０が剛性材料（図４ｃ）、例えば、温度および圧力に対する抵抗性のある樹脂、アルミニウム、真鍮、微小孔性剛性ＥＶＡ、ポリウレタンから作られている（図４ｃ）ときには、その面あるいは上記形材には、甲革の内面（薄膜圧接面）が平坦であるということを再び保証するために、例えば、上記要素どうしの重なり部、厚さの差、あるいは上記甲革の縫い合わせ継目に関して相補的である小さいくぼみ部２０ｃがなければならない。
【００３３】
また、上記甲革への上記薄膜の完全に平坦な接着を達成するためには、互いに対向しているか、あるいは対向していない、また、この場合には、例えば上記甲革の厚さの差に関して相補的であるくぼみ部および隆起部がある剛性型材Ｓ１ａおよび相補的型材Ｓ１ｂを使用することが、さらに可能である。
【００３４】
より良好な結果のためには、参照符号１２ｃによって表わされた甲革１２の中央舌部における適正な接合を達成するように、相異なる２種類の圧接、すなわち、薄膜１３および甲革１２によって構成された組付体の２分の１における初めの圧接と、他の２分の１におけるその後の圧接とを行うことが好ましい。
【００３５】
図１によれば、上記「舌部」は、一般に上記甲革が作られているのと同じ材料から作られた細長片であり、足の甲を保護するとともに靴の展開および足の挿入を促進するために、留め具に、あるいは靴の展開のための異なる機構に配置されている。防水性甲革の場合には、上記舌部は、靴が閉鎖されたときにそれ自体の上へ折り返され、それによって、靴をいっそう防水性にするとともに容易な足の挿入を可能にする蛇腹状舌部として設けられている。
【００３６】
上記舌部を防水処理するとともに水が靴の中へ侵入するのを防止するために必要とされる必須の蛇腹部分を設けるために、この領域に薄膜のインサート１３ａが必要であるときには、そのようなインサートは、例えば５〜１０ｍｍだけ重ね合わされ、かつ、適切な熱融着処理により適用された封止用接着剤および／またはテープ３０によって封止しなければならない。
【００３７】
展開状甲革１２と薄膜１３との間のこのような平坦な接着がいったん行われると、必要であれば、甲革１２の製造は、二次元状圧接を可能にするために展開状に残された縁の１つ以上の縫い合わせ継目を使用することによって、また、その後の縫い合わせ継目の防水性封止によって終わる。
【００３８】
代案としての、三次元状のものとして規定することのできる実施形態では、この例においても参照符号１２によって表わされ、裏返されて閉鎖される甲革（図２および図３を参照のこと。図２は、型材Ｓ２へ接合される間に裏返された甲革１２と薄膜１３とによって構成された組付体を示しており、また、図３は、型材Ｓ２の表面に嵌合された薄膜がある甲革の上面断面図である。）と、甲革１２の上記型材を実質的に複製するために形成されて縫い合わされる薄膜１３とを用意することができる。
【００３９】
例えば、薄膜１３は、４つの端部で縫い合わされる２つの部分によって形成することができ、あるいは、折り曲げられて２つの係合用端部で縫い合わされれる単一部分によって形成することができる。薄膜１３は甲革１２の周りに巻き付けられている。
【００４０】
この場合にも、三次元的解決は、剛性材料から作られた芯によって構成され、かつ、２つの平坦な外面２０ａおよび２０ｂを形成しているとともに、例えば、ニトリルゴム、シリコーン、ポリクロロプレン（ネオプレン）あるいは微小孔性発泡ＥＶＡのような、（弾性）変形の後にその初めの形状を取り戻すことができるとともに温度耐性のある材料から作られた外面部分によって構成された平坦な型材Ｓ２（具体的には、平坦で平行な２つの面がある）の表面へ上記組付体を嵌合させることによって、実質的に二次元状接着までに減らされている。
【００４１】
この場合にも、接合は、好ましくは、熱とともに、あるいは真空において、展開状甲革１２についての上記設備で、圧接をすることによって行うことができる。
【００４２】
この場合には、相異なる２種類の圧接を行うこと、すなわち、平坦な型材Ｓ２の上に嵌合された、甲革１２および薄膜１３によって構成された組付体の一方側面に初めの圧接を行い、その後に他方側面に圧接を行うことが好ましい。
【００４３】
かかとの部分における甲革１２と薄膜１３との間の接着の達成は、加熱される半靴型と、重ね合わされた甲革１２および薄膜１３へ圧力を加えるエアークッションとが備わっている、一般に「かかと革予備成形機」として知られた靴製造機を使用することによってもまた、行うことができる。
【００４４】
この場合において、上記半靴型は、熱接着性接着剤を再活性化するように加熱され、上記エアークッションは、上記材料を圧接してそれらの相互接着を達成するように設計されている。この場合には、例えば、圧接は、上記甲革が裏返されていないときに行われる。
【００４５】
上記平坦形材と「かかと革予備成形機」の上記半靴型との両方は、甲革の型が変更されるときに設備を変更する必要によることなく、すべての種類の靴に使用することができる。
【００４６】
防水性材料から作られた爪先革２２は、靴の先端を補強するために、一般に甲革１２へ取り付けられる。この場合には、図５において防水性爪先革２２に重ね合わされる薄膜１３の部分を使用する必要がない。それゆえ、薄膜１３のかなりの表面を節約することができる。重要であるのは、防水性封止部、例えば、およそ５．０〜１０．０ｍｍにわたる２つの材料の重ね合わせ部と封止用接着部とがあること、あるいは爪先革２２と薄膜１３との間に防水性テープ処理が施された縫い付け継目があることである。この爪先革２２は、薄膜１３と甲革１２との接合の前に甲革１２へ直接、取り付けられるのが好ましく、あるいは、代案として、薄膜１３を部分的に重ね合わすためにその後に取り付けることができる。
【００４７】
爪先革２２が透湿性あるいは有孔性のものであって防水性のものでないときには、その爪先革２２は、その透湿性を保証するために、例えば、スポット接着によって、あるいは熱可塑性材料から作られた有孔性フィルムを介在させることによって、甲革１２へ取り付けることができる。
【００４８】
その後、それ自体知られた方法によって、上記組付体が上記中底の上へいったん取り付けられると、その組付体の厚さおよび折り目を減少させるために、また、底革１６とのその接着を促進するために、その組付体は、甲革１２の下方縁部１８をざらざら処理することによって平坦化する必要がある。このような平坦化は、爪先革２２の下方周辺端部を露出させることによってさえ、可能である。
【００４９】
爪先革２２がないときには、薄膜１３を破損しないように、上記ざらざら処理の作業を回避することが代わりに好ましい。実際のところ、薄膜１３は一般に、きわめて薄くてもろい材料から作られており、また、薄膜１３は、ざらざら処理により甲革１２の折り目を排除するための上記作業によって、容易に破れるおそれがある。
【００５０】
同じように、例えば、薄膜１３と甲革１２との接合の後に、裏かかと革２３を施すことができる。
【００５１】
この場合においても、かかと革２３が防水性材料から作られているときには、そのような要素を重ね合わせるために上記薄膜の一部を使用する必要はない。重要であるのは、防水性封止部、例えば重ね合わせ部と、およそ５．０〜１０．０ｍｍにわたる２つの材料の封止用接着部とがあること、あるいは上記かかと革と上記薄膜との間に防水性テープ処理が施された縫い付け継目があることである。
【００５２】
透湿性内側ライニング２４が薄膜１３の内面に接合されるが、この接合は接着によって行うことができる。代案として、このライニングは、これがいったん設けられると、甲革、薄膜および中底によって構成された上記組付体と内面で接合される靴下の形態に設けることができる。
【００５３】
最後に、上記底革の接着の前に靴１０の上方部１１を仕上げるために、甲革１２および薄膜１３によって構成された上記組付体へ透湿性および／または有孔性の中底１４が取り付けられる。
【００５４】
薄膜１３の周辺フラップ１７と甲革１２の周辺縁部１８とが、折り返されて中底１４の下方に固定される。具体的には、甲革１２および薄膜１３の中底１４への接合は、薄膜１３を損傷するおそれのある釘あるいはステープルを使用することなく、例えば「ＡＧＯ靴型」として知られた構造体によって、行うことができる。
【００５５】
靴の上方部１１がいったん閉鎖されると、底革１６はその上方部１１に接合される。この実施形態では、底革１６は、単一のブロックであり、また、例えば接着剤によって、上方部１１に接合される。
【００５６】
この発明の諸目的のためには、薄膜１３の下方フラップ１７と上記甲革の下方縁部１８との間に、この靴の下方部、この場合には底革１６に対して防水性である封止用区域２６がある。
【００５７】
防水性封止用区域２６は、封止用リング２７を形成するために、実際にはこの区域が中底１４に達するまで、甲革１２の下方縁部１８の上に、また、薄膜１３の下方フラップ１７の表面に塗布される接着材料によって、構成することができる。この封止用リング２７によれば、靴の上方部１１への底革１６の接着もまた可能になる。
【００５８】
底革１６は、上方部１１の上に直接、オーバーモールドすることもできる。この場合、その底革を構成するポリマー材料にもよるが、封止用リング２７の使用を回避することができる。その理由は、封止用区域２６が、この底革が接する上方部１１の一部分（甲革の下方縁部、薄膜の下方フラップおよび中底１４の一部）にじかに接合される底革のポリマー材料によって設けられているからである。
【００５９】
封止用区域２６はまた、他の方法、封止用テーピング、または、例えば縫い付けあるいは接着により甲革へ固定される要素によって得られた、甲革の下方縁部の拡張部分２８で設けることもできる。
【００６０】
これらの拡張部分２８の作用は、薄膜１３の下方縁部を保護することである。この薄膜はきわめて薄いため、中底１４の周りに薄膜１３および甲革１２によって構成された組付体を靴型合わせ機の靴型合わせ用プライヤーによる靴型合わせ作業の結果として、この薄膜は実際に破れることがある。
【００６１】
例えば１０〜１５ｍｍの幅（実際には、上記薄膜フラップの端部へ達するようなもの）がある拡張部分２８によれば、例えば、シリコーン接着剤あるいはポリウレタン接着剤のような封止用材料が通過することのできる、例えば、合成材料、網状布地、織り込み布地あるいは三次元状布地から作られたヒートシール用のテープあるいはメッシュによるような封止が可能である。これらの場合には、薄膜１３は、相異なる材料どうしの接合箇所を防水処理するために、保護要素どうしの接合の後に、設けなければならない。
【００６２】
薄膜の組付体縁部をさらに補強するために、例えば、薄膜と甲革との接合の後に、防水性補強要素、例えば、伸縮自在であって合成材料から作られているのが好ましいヒートシール用防水性テープを、薄膜の下方縁部へ直接、貼り付けることが有利であろう。
【００６３】
一体構造の底革に加えて、例えば、接地体を形成する下方本体と、中底とこの下方本体との間に介在された中物とによって形成された複合底革を、上記上方部へ取り付けることもできる。
【００６４】
この複合底革を靴の上方部（甲革および中底）へ組み付けるいくつかの方法は、多重オーバーモールド処理への接着とはたいてい本質的に異なっているであろう。
【００６５】
靴には、それ自体、知られた型の防水性・透湿性の底革が備わっていてもよい、ということは明らかであり、それらの実施形態は従来のいくつかの特許に開示されている。そのような底革は、少なくとも１つの領域に貫通孔が設けられた接地体が備わっており、その接地体の上方に、防水性・透湿性であって上で説明されたものに類似している型の保護要素および薄膜があるものである。
【００６６】
防水性・透湿性底革の場合には、底革に対向している甲革の薄膜と下方縁部との封止用領域は必然的に、周辺に配置されて透湿性のために設計された領域を取り囲む防水性封止用区域でなければならない。
【００６７】
これまで簡潔に説明されたような防水性・透湿性である底革を使用する、この発明による靴のいくつかの実施形態が、これ以降、説明される。
【００６８】
国際公開ＷＯ９７／１４３２６号パンフレットによる図６を参照すると、薄膜１１３の下方フラップ１１７へ接着される甲革１１２の下方縁部１１８は、ひっくり返され、次いで、薄膜１１３を損傷するおそれのある釘あるいはステープルを使用することなく、「ＡＧＯ靴型」として広く知られた構造体により、中底１１４の下方で接着剤によって接合されている。ライニング１２４が薄膜１１３の内面に接合されている。
【００６９】
薄膜１１３は、靴の下側にある部分とともに防水性であってこの場合には底革１１６のポリマー材料によって構成されている封止用周辺区域１２６を形成するために、甲革１１２の下方縁部１１８に対して例えば少なくとも１０〜１５ｍｍだけ露出した状態に残されている。底革１１６は実際には、足を完全に取り囲む上方部１１１の組付体の上へ直接、オーバーモールドされている。
【００７０】
国際公開ＷＯ２００５／０７０６５８号パンフレットによる図７を参照すると、甲革２１２の下方縁部２１８および薄膜１１３の下方フラップ２１７および組み付け中底２１４の接合の後に、中底２１４と甲革２１２の薄膜２１３とに周辺で接合される防水性内靴２４０が使用されているが、この内靴２４０を使用するのは、中底２１４と薄膜２１３とを接合するための領域に、かつ、甲革２１２の下方縁部２１８に重ね合わされて、内靴２４０の上方における甲革２１２の下方縁部２１８からの水の側方浸透を防止するためと、甲革２１２の下方縁部２１８と薄膜２１３の下方フラップ２１７との組み付けによるあらゆる折り目およびしわを「ならす」ことを可能にする第１周辺封止部２２６ａをもたらすためとである。
【００７１】
防水性内靴２４０は、透湿性のものであってもよく、あるいは、透湿性のために設計された底革の上記領域に適切な孔が設けられたものでもよい。例えば、防水性内靴２４０は、中底２１４、甲革の下方縁部２１８、および薄膜の下方フラップ２１７によって引き起こされた相異なる厚さへ適合させるために、微小孔性ＥＶＡあるいは発泡ポリウレタンのような柔軟材料から作ることができる。
【００７２】
極端な場合には、内靴２４０には大きい孔を中央に設けることができ、実際に、それによって、それ自体を、甲革、薄膜および中底を接合する領域に封止部をもたらす、例えば防水性のリングおよびテープによって形成された周辺リムまで、減少させることができる。
【００７３】
内靴２４０の代案として、甲革と薄膜との周辺領域に防水性封止部を直接、設けるために、甲革の下方縁部２１８と薄膜の下方フラップ２１７とを、例えば、シリコーン接着剤、熱可塑性接着剤、または、例えば、Ｈ．Ｂ．Ｆｕｌｌｅｒの製品ＩＰＡＴＨＥＲＭ  Ｓ  １４／１７６あるいはその同等物のような反応性ホットメルト・ポリウレタン接着剤のような接着剤あるいは封止剤で含浸させるか、または、それらをラテックスとともに塗布（ラテックスコーティング）し、あるいはポリウレタンとともに塗布（ポリウレタンコーティング）することができる。
【００７４】
この実施形態では、底革２１６は、先に説明された実施形態に示されたものに類似しており、また、接地体を形成する底革２１６の下方本体２１６ａによって構成されているとともに、下方本体２１６ａが別個に型成形された複数の貫通孔２２９がある領域を有している。その後、下方本体２１６ａは金型の中に置かれ、また、接地体の貫通孔２２９の箇所に配置された薄膜であって、これ以降、それを甲革２１２に接合された薄膜２１３と明確に区別するために下方薄膜２３１と称される防水性・透湿性薄膜のための有孔領域の上方に、保護層２３０が配置される。この保護層２３０は、耐加水分解性、撥水性、透湿性あるいは有孔性である材料から作られている。
【００７５】
透湿性（あるいは、必要に応じて有孔性）の充填要素２３２が、下方薄膜２３１を覆って配置されているが、この要素には、そのような下方薄膜２３１の周辺環状領域を露出状態に残すために、下方薄膜２３１の表面寸法よりも小さい表面寸法がある。
【００７６】
充填要素２３２の周りには、液体が接地体の上記貫通孔を通して足挿入領域の中へ侵入するのを防止するために、より小さい充填要素２３２によって露出状態に残される、底革２１６に関連した下方薄膜２３１の上記環状領域を封止する中物２３３がある。
【００７７】
ヨーロッパ特許第１１９７１５８号による図８ａによれば、甲革３１２と薄膜３１３との間を接合する前に、防水性結合要素３５０が、例えばジグザグ縫い付け部３５２によって甲革３１２の下方縁部３１８に接合されるが、この結合要素３５０は、例えば１０〜１５ｍｍの幅があり、実際には、上記甲革の上記下方縁部から突出する薄膜３１３の下方フラップ３１７と同じほど幅が広い。
【００７８】
結合要素３５０は２層シートによって構成されているのが好ましく、薄膜３１３へ向けられたその内側層３５０ａには、先に説明された甲革における薄膜の上記圧接の間に生じた温度に等しい融点がある。このような温度は、底革を金型成形するための工程の間に生じた温度よりも低い。それゆえ、上記圧接工程の間に、内側層３５０ａは溶融して、薄膜３１３へ接着される。
【００７９】
第２層である外側層３５０ｂは、薄膜３１３を甲革３１２に圧接するための上記作業の間におけるその溶融を防止するために、代わりに、底革の材料と相溶性である材料から作ることができ、また、第１の内側層３５０ａよりも高い融点がなければならない。
【００８０】
ストローベル（Ｓｔｒｏｂｅｌ）として広く知られた構造に従って、甲革３１２と薄膜３１３とで構成された組付体は、縫い合わせ継目３５３によって、透湿性あるいは有孔の中底３１４へ内側ライニング３２４とともに接合されている。
【００８１】
「ＡＧＯ靴型」として知られた構造に従って、上記中底が上記甲革・薄膜組付体に接合されると、甲革の下方縁部と薄膜の下方フラップとが上記組み付け中底の下方で折り返されて、上記結合要素は、先に説明されたように、甲革の下方縁部の拡張部分に重なる。底革３１６の少なくとも一部は、靴の上方部３１１の上へ直接、オーバーモールドされる。
【００８２】
底革が射出成形されるとき、溶融したポリマーによって生じた圧力および熱によって、結合要素３５０の上記第２層の部分溶融が引き起こされ（もちろん、上記第１層に加えて）、それによって、薄膜３１３の下方フラップ３１７と底革３１６との間に防水性封止のための周辺区域３２６が作り出されて、液体の側方浸透が防止される。
【００８３】
靴製造の分野における当業者にすでに知られている１つの変形例が図８ｂに示されており、また、この変形例には、参照符号３５０’によって表わされ、液体状態にあるポリマー材料、具体的にはポリウレタンが透過することのできる材料、例えば、合成材料から作られたメッシュ、あるいは幅の広いメッシュがある三次元状布地のような材料から全体が作られ、上記オーバーモールド工程の間に溶融した上記ポリマー材料が底革を薄膜３１３へ接合することのできる、甲革の結合要素あるいは拡張部分が設けられている。
【００８４】
さて、図９によれば、底革４１６は、自発的に設けることもでき、その後、例えば接着剤によって靴の上方部分へ接合することができる。
【００８５】
この場合には、甲革４１２の下方縁部４１８と中底４１４との接合部があり、この接合部は、透湿性あるいは有孔性のものであり、例えば、合成材料から作られた網あるいは幅の広いメッシュがある三次元状布地のような、流体封止剤が透過することのできる材料から作られた結合要素４５０の介在がある。接合は、縫い合わせ継目４５４および４５５によってもたらされている。
【００８６】
結合要素４５０は、薄膜４１３の下方フラップ４１７に防水性封止部を直接、設けるための第１周辺封止部４２６ａを設けるために、例えば、シリコーン接着剤、熱可塑性接着剤、または、例えば、Ｈ．Ｂ．Ｆｕｌｌｅｒの製品ＩＰＡＴＨＥＲＭ  Ｓ  １４／１７６あるいはその同等物のような反応性ホットメルト・ポリウレタン接着剤のような接着剤あるいは封止剤で含浸されるか、または、ラテックスとともに塗布（ラテックスコーティング）され、あるいはポリウレタンとともに塗布（ポリウレタンコーティング）される。
【００８７】
図１０によれば、例えば「ＡＧＯ靴型」構造の場合には、結合要素６５０は、水を内方へあるいはそれ自体の繊維に沿って引き込まないことができる通常の布地、ケブラー（Ｋｅｖｌｅｒ：登録商標）のアラミド繊維で補強された布地、あるいは、例えば防水性ポリマー材料であってもよい。
【００８８】
この場合には、中底６１４は、甲革における薄膜の下方フラップあるいは下方縁部６１７との間に直接、防水性封止部を設けるための周辺区域６２６ａを設けることができるようにするために、少なくともその周辺部分において底革６１６の材料および薄膜６１３の材料と相溶性であるポリマー材料から、さもなければ防水性材料から、作られていなければならない。
【００８９】
この靴の防水性封止部を仕上げるために、この場合にも、結合要素６５０は、防水性中底に対して封止用区域６２６ｂを設けるために、例えば、シリコーン接着剤、熱可塑性接着剤、または、例えば、Ｈ．Ｂ．Ｆｕｌｌｅｒの製品ＩＰＡＴＨＥＲＭ  Ｓ  １４／１７６あるいはその同等物のような反応性ホットメルト・ポリウレタン接着剤のような接着剤あるいは封止剤で含浸されるか、または、ラテックスとともに塗布（ラテックスコーティング）され、あるいはポリウレタンとともに塗布（ポリウレタンコーティング）される。
【００９０】
いずれにせよ、中底６１４は、透湿について意図され、それゆえ透湿性あるいは有孔性でなければならない中央部分に影響を及ぼすことなく、底革６１６と、また、薄膜６１３の下方フラップあるいは下方縁部６１７と、周辺部分でだけ密封状に接合される。
【００９１】
薄膜の組付体縁部をさらに補強するためには、例えば、薄膜と甲革６１２との接合の後に、防水性補強要素６５１、例えば、伸縮自在であって合成材料から作られているのが好ましいヒートシール用防水性テープを、薄膜６１３の下方フラップあるいは下方縁部へ直接、貼り付けることが有利であろう。
【００９２】
実際に、以上のように説明されたこの発明によれば、意図された目標および諸目的が達成されることがわかった。
【００９３】
この発明によれば、完全に防水性かつ水蒸気透過性であって、底革から足挿入領域の中への水のほんのわずかな側方浸透でさえも防止するために製造された靴が、実際に提供される。
【００９４】
このことは、甲革への薄膜の特定の表面接合によって可能になり、圧接作用によって、また、特別な形材の存在によって適切に保証される。実際、そのような形材によれば、縫い付け継目によって、また、とりわけ靴の甲革を構成する相異なる要素の重ね合わせ部によって決定された臨界箇所をも効果的に防水処理することが可能になる。このような甲革の防水処理によって、靴の甲革と上記ライニングとの間の水の溜まり込みを防止することが可能になる。
【００９５】
さらにまた、薄膜の下方フラップが甲革の下方縁部から突出するような薄膜と甲革との接合によって、靴の下方部分とともにこの領域に封止用区域を作り出すことができ、実際に、甲革と薄膜との間および薄膜と靴の下方部分との間における表面界面で水が染み込むのが防止される。
【００９６】
以上のように構想されたこの発明は、すべてが添付の特許請求の範囲の適用範囲の内部にある多数の修正および変更が施される余地がある。すべての細部は、技術的に等価な他の要素でさらに置き換えることができる。
【００９７】
実際に、使用される材料は、それらが特定の用途と適合性とがある限り、寸法と同様に、その技術の要件および状態に従う任意のものであってよい。
【００９８】
この出願が優先権を主張するスイス特許出願第００５３８／０７号明細書における開示は、参照によってこの明細書に組み入れられている。
【００９９】
特許請求の範囲の任意の請求項で言及された技術的特徴が参照符号に従うときには、それらの参照符号は、請求項の理解度を増大させる目的だけのために含まれており、従って、そのような参照符号は、そのような参照符号による例によって識別されたそれぞれの要素の解釈に関するどのような制限的効果も有していない。
【図１】
2010523186.tif 000003
【図２】
2010523186.tif 000004
【図３】
2010523186.tif 000005
【図４ａ】
2010523186.tif 000006
【図４ｂ】
2010523186.tif 000007
【図４ｃ】
2010523186.tif 000008
【図５】
2010523186.tif 000009
【図６】
2010523186.tif 000010
【図７】
2010523186.tif 000011
【図８ａ】
2010523186.tif 000012
【図８ｂ】
2010523186.tif 000013
【図９】
2010523186.tif 000014
【図１０】
2010523186.tif 000015
【国際調査報告】
2010523186.tif 000016
2010523186.tif 000017
2010523186.tif 000018
2010523186.tif 000019